【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
収納装置の筐体の内部には棚板で区分される複数の収納部が設けられ、かつ前記筐体の開口部には扉が設けられ、識別情報を含む情報を記憶する札が付与されて各収納部に収納されている物品を管理する物品管理システムであって、
前記収納装置の扉の開操作と閉操作を検出する扉開閉操作検出部と、
前記複数の収納部の収納部ごとに設けられ、前記収納部に収納されている物品に付与されている札から前記物品を識別する識別情報を読み出す読出部と、
前記収納部に収納されている物品に付与された札の識別情報と、前記収納部を識別する収納部識別情報とを含む収納棚情報を送信する制御部と、
前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する管理装置制御部
を備えることを特徴とする物品管理システム。
【請求項２】
前記扉開閉操作検出部は、
前記収納装置の扉の開操作を検出するとともに、前記収納装置の扉の開操作を要求した利用者を特定する
ことを特徴とする請求項１記載の物品管理システム。
【請求項３】
前記管理装置制御部は、
前記収納棚情報に対応する前記収納装置の扉の開操作の履歴情報と、前記札の識別情報と、前記扉の閉操作の履歴情報と、前記収納部を識別する収納部識別情報とを対応付けて記憶部に記憶させ、
前記収納部識別情報と前記札の識別情報とに基づいて、前記収納部に収納されている物品の情報を、前記複数種類の物品から選択した物品の種類に対応する画面に表示する
ことを特徴とする請求項１記載の物品管理システム。
【請求項４】
扉が設けられた複数の収納部に収納されている物品を管理する物品管理装置であって、
前記収納部の扉の開操作と閉操作を検出し、前記検出した収納部の扉の開操作又は閉操作に対応させて、前記収納部に収納されている物品に付与されている札から前記物品を識別する識別情報を読み出し、前記収納部に収納されている物品に付与された札の識別情報と、前記収納部を識別する収納部識別情報とを含む収納棚情報を収集する制御部であって前記収納部に設けられた制御部から、前記収納棚情報を取得する情報取得部と、
前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する画像を生成する管理装置制御部と、
を備えることを特徴とする物品管理装置。
【請求項５】
扉が設けられた複数の収納部と、識別情報を含む情報を記憶する札が付与されている物品を管理する物品管理装置とを備える物品管理システムにおける物品管理方法であって、
前記収納部の扉の開操作と閉操作を検出するステップと、
前記収納部に収納されている物品に付与されている札から前記物品を識別する識別情報を読み出すステップと、
前記収納部に収納されている物品に付与された札の識別情報と、前記収納部を識別する収納部識別情報とを含む収納棚情報を送信するステップと、
前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する画像を生成するステップと、
を含むことを特徴とする物品管理方法。
【請求項６】
扉が設けられた複数の収納部に収納されている物品を管理する物品管理装置のコンピュータに、
前記収納部の扉の開操作と閉操作を検出し、前記収納部に収納されている物品に付与されている札から前記物品を識別する識別情報を読み出し、前記収納部に収納されている物品に付与された札の識別情報と、前記収納部を識別する収納部識別情報とを含む収納棚情報を収集する制御部であって前記収納部に設けられた制御部から、前記収納棚情報を取得するステップと、
前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する画像を生成するステップと、
を実行させるためのプログラム。
【手続補正２】
【補正対象書類名】明細書
【補正対象項目名】０００６
【補正方法】変更
【補正の内容】
【０００６】
上述した課題を解決するために、本発明の一態様は、収納装置の筐体の内部には棚板で区分される複数の収納部が設けられ、かつ前記筐体の開口部には扉が設けられ、識別情報を含む情報を記憶する札が付与されて各収納部に収納されている物品を管理する物品管理システムであって、前記収納装置の扉の開操作と閉操作を検出する扉開閉操作検出部と、前記複数の収納部の収納部ごとに設けられ、前記収納部に収納されている物品に付与されている札から前記物品を識別する識別情報を読み出す読出部と、前記収納部に収納されている物品に付与された札の識別情報と、前記収納部を識別する収納部識別情報とを含む収納棚情報を送信する制御部と、前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する管理装置制御部を備えることを特徴とする物品管理システムである。
【手続補正３】
【補正対象書類名】明細書
【補正対象項目名】０００７
【補正方法】変更
【補正の内容】
【０００７】
また、本発明の一態様の物品管理システムにおいて、前記扉開閉操作検出部は、前記収納装置の扉の開操作を検出するとともに、前記収納装置の扉の開操作を要求した利用者を特定することを特徴とする。
【手続補正４】
【補正対象書類名】明細書
【補正対象項目名】０００８
【補正方法】変更
【補正の内容】
【０００８】
また、本発明の一態様の物品管理システムにおいて、前記管理装置制御部は、前記収納棚情報に対応する前記収納装置の扉の開操作の履歴情報と、前記札の識別情報と、前記の閉操作の履歴情報と、前記収納部を識別する収納部識別情報とを対応付けて記憶部に記憶させ、前記収納部識別情報と前記札の識別情報とに基づいて、前記収納部に収納されている物品の情報を、前記複数種類の物品から選択した物品の種類に対応する画面に表示することを特徴とする。
【手続補正５】
【補正対象書類名】明細書
【補正対象項目名】０００９
【補正方法】変更
【補正の内容】
【０００９】
また、本発明の一態様は、扉が設けられた複数の収納部に収納されている物品を管理する物品管理装置であって、前記収納部の扉の開操作と閉操作を検出し、前記検出した収納部の扉の開操作又は閉操作に対応させて、前記収納部に収納されている物品に付与されている札から前記物品を識別する識別情報を読み出し、前記収納部に収納されている物品に付与された札の識別情報と、前記収納部を識別する収納部識別情報とを含む収納棚情報を収集する制御部であって前記収納部に設けられた制御部から、前記収納棚情報を取得する情報取得部と、前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する画像を生成する管理装置制御部とを備えることを特徴とする物品管理装置である。
【手続補正６】
【補正対象書類名】明細書
【補正対象項目名】００１０
【補正方法】変更
【補正の内容】
【００１０】
また、本発明の一態様は、扉が設けられた複数の収納部と、識別情報を含む情報を記憶する札が付与されている物品を管理する物品管理装置とを備える物品管理システムにおける物品管理方法であって、前記収納部の扉の開操作と閉操作を検出するステップと、前記収納部に収納されている物品に付与されている札から前記物品を識別する識別情報を読み出すステップと、前記収納部に収納されている物品に付与された札の識別情報と、前記収納部を識別する収納部識別情報とを含む収納棚情報を送信するステップと、前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する画像を生成するステップと、を含むことを特徴とする物品管理方法である。
【手続補正７】
【補正対象書類名】明細書
【補正対象項目名】００１１
【補正方法】変更
【補正の内容】
【００１１】
また、本発明の一態様は、扉が設けられた複数の収納部に収納されている物品を管理する物品管理装置のコンピュータに、前記収納部の扉の開操作と閉操作を検出し、前記収納部に収納されている物品に付与されている札から前記物品を識別する識別情報を読み出し、前記収納部に収納されている物品に付与された札の識別情報と、前記収納部を識別する収納部識別情報とを含む収納棚情報を収集する制御部であって前記収納部に設けられた制御部から、前記収納棚情報を取得するステップと、前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する画像を生成するステップと、を実行させるためのプログラムである。